(57)【要約】【課題】  給紙段を指定するのみで、両面印刷時に両面又は片面のみに合成印刷できるようにする。【解決手段】  複数の給紙段１３は画像形成される印刷媒体をセットする。給紙段選択部９は、給紙段１３のうち印刷媒体に対する両面印刷指示に対応付けられた特定給紙段１３ａの選択と、両面印刷時にこの何れの側に合成印刷データを合成印刷するかの合成印刷の選択とを受付ける。印刷部１１は印刷媒体に両面印刷および合成印刷する。印刷制御部１は、給紙段選択部９からの特定給紙段１３ａの選択に基づき、該当する特定給紙段１３ａから印刷媒体を給紙搬送制御するとともに、その印刷部１１の両面印刷、並びに片面又は両面合成印刷を切り換え実行制御する。【選択図】  図１
2009028985.tif 000002
【特許請求の範囲】
【請求項１】
画像形成される印刷媒体がセットされる複数の給紙段と、
これら給紙段のうち、前記印刷媒体に対する両面印刷を指示する両面印刷指示に対応付けられた特定給紙段の選択を受付けるとともに、前記両面印刷時にこの何れの側に所定の合成印刷データを合成印刷するかの合成選択を受付ける給紙段選択部と、
前記印刷媒体に対して前記両面印刷および合成印刷する印刷部と、
前記給紙段選択部で選択された前記特定給紙段からの前記印刷媒体の給紙制御と、前記合成選択に基づき前記印刷部による前記両面印刷および前記合成印刷の制御をする印刷制御部と、
を具備することを特徴とする画像形成装置。
【請求項２】
前記給紙段選択部は、両面への合成印刷選択を受付け、前記印刷制御部は、当該合成印刷選択に基づき前記両面印刷および両面合成印刷を制御する請求項１記載の画像形成装置。
【請求項３】
前記給紙段選択部は、片面への合成印刷選択を受付け、前記印刷制御部は、当該合成印刷選択に基づき前記両面印刷および先頁側の片面合成印刷を制御する請求項１記載の画像形成装置。
【請求項４】
前記給紙段選択部は、前記特定給紙段として前記印刷媒体の種類の選択を受付ける請求項１〜３いずれか１記載の画像形成装置。
【請求項５】
前記給紙段選択部は、前記給紙段に対して前記両面印刷および合成印刷を含む印刷形態との対応関係が予め設定された管理テーブルを参照し、前記特定給紙段に前記印刷形態が設定されているとき、前記特定給紙段の選択を受付ける請求項１〜４いずれか１記載の画像形成装置。
【請求項６】
印刷媒体がセットされる複数の給紙段から前記印刷媒体を給紙して両面印刷および合成印刷を制御する印刷制御用コンピュータに対し、
前記給紙段のうち、前記印刷媒体に対する両面印刷を指示する両面印刷指示に対応付けられた特定給紙段の選択を受付けるとともに、前記両面印刷時にこの何れの側に所定の合成印刷データを合成印刷するかの合成選択を受付ける給紙段選択処理と、
前記印刷媒体に前記両面印刷および合成印刷する印刷部に対し、前記給紙段選択処理で選択された前記特定給紙段からの前記印刷媒体の給紙制御と、前記合成選択に基づき前記印刷部に対する前記両面印刷および合成印刷の制御をする印刷制御処理と、
を実行させることを特徴とする画像形成プログラム。
【請求項７】
前記給紙段選択処理は、両面への合成印刷選択を受付け、前記印刷制御処理は、当該合成印刷選択に基づき前記両面印刷および両面合成印刷を制御する請求項６記載の画像形成プログラム。
【請求項８】
前記給紙段選択処理は、片面への合成印刷選択を受付け、前記印刷制御処理は、当該合成印刷選択に基づき前記両面印刷および先頁側の片面合成印刷を制御する請求項６記載の画像形成プログラム。
【請求項９】
前記給紙段選択処理は、前記特定給紙段として前記印刷媒体の種類の選択を受付ける請求項６〜８いずれか１記載の画像形成プログラム。
【請求項１０】
前記給紙段選択処理は、前記給紙段に対して前記両面印刷および合成印刷を含む印刷形態との対応関係が予め設定された管理テーブルを参照し、前記特定給紙段に前記印刷形態が設定されているとき、前記特定給紙段の選択を受付ける請求項６〜９いずれか１記載の画像形成プログラム。
【発明の詳細な説明】
【技術分野】
【０００１】
本発明は画像形成装置および画像形成プログラムに係り、例えば複写機、ファクシミリ機又はこれらの複合機（ＭＦＰ：Multi Function Peripheral）等に用いられる画像形成装置および画像形成プログラムの改良に関する。
【背景技術】
【０００２】
近年、複写機、ファクシミリ機、複合機等の画像形成装置においては、印刷データを印刷する際に、印刷用紙への両面印刷に加えて、予め登録された別の印刷データをオーバーレイして印刷する合成印刷機能も搭載されるようになってきた。
【０００３】
例えば特開２０００−１５６７７８号公報（特許文献１）は合成印刷機能を有する画像形成装置である
【０００４】
すなわち、この特許文献１は、原稿の画像を読み取る読取手段と、記憶領域に対するフォーム画像の記憶処理又は消去処理を行う記憶手段と、その読取手段により読み取った画像と記憶手段に記憶されたフォーム画像との合成処理を行う合成手段と、この合成手段により合成処理を行うとき、そのフォーム画像の記憶処理又は消去処理を禁止する制御手段とを有し、フォーム画像と原稿画像との合成処理中に、ユーザが誤って合成処理に使用しているフォーム画像を消去しないようにしたものである。
【０００５】
さらに、特開２００３−２２３３０４号公報（特許文献２）のような合成印刷機能も提案されている。
【０００６】
この特許文献２は、外部から受信したデータと指定された合成データとを合成するプリンタと、合成データと合成されるデータをその画像処理装置に送信するホストコンピュータとを有し、印刷するときの印刷形式を決定するための情報である書式情報であって認識された合成データに対応する書式情報を、そのホストコンピュータがそのプリンタに送信する構成し、合成データに適した書式の選択を簡単にしたものである。
【特許文献１】特開２０００−１５６７７８号公報
【特許文献２】特開２００３−２２３３０４号公報
【発明の開示】
【発明が解決しようとする課題】
【０００７】
しかしながら、上述した特許文献１では、読取手段で読み取った画像と記憶手段の記憶フォーム画像とを合成印刷処理させる場合、操作パネルから用紙および合成印刷機能の双方を選択する必要があるが、限られたスペースの操作パネルにおいて、常に初期画面において用紙の選択表示がなされるのに反し、合成印刷の選択といった特殊機能選択は初期画面から画面を切換えてから選択可能になる場合が多く、操作性に改善の余地がある。
【０００８】
また、上述した特許文献２では、合成データに対応する書式情報をホストコンピュータからプリンタに送信してイメージ合成を簡単に設定できるが、特許文献１と同様に、初期画面において用紙を選択する一方、合成印刷の選択は初期画面から画面を切換えて選択可能になる場合が多く、操作が煩雑である。
【０００９】
さらに、画像形成装置では、両面印刷において合成印刷を実施する場合、単に、用紙の選択および合成印刷の選択をしただけでは用紙の両面で両面印刷が実行されてしまい、例えば、社名や自社ロゴマーク等を用紙の片面のみに合成印刷したり、特殊なフォームを用紙の片面のみに合成印刷してレターヘッドや特殊紙を作成するには、そのまま両面印刷を実施しては目的達成が困難で、特別の工夫が必要である。
【００１０】
本発明はそのような課題を解決するためになされたもので、給紙段を指定するのみで合成印刷が可能であるとともに、両面印刷時において片面又は両面のみの合成印刷を切換え可能にした画像形成装置および画像形成プログラムの提供を目的とする。
【課題を解決するための手段】
【００１１】
そのような課題を解決するために本発明に係る画像形成装置は、画像形成される印刷媒体がセットされる複数の給紙段と、これら給紙段のうち、その印刷媒体に対する両面印刷を指示する両面印刷指示に対応付けられた特定給紙段の選択を受付けるとともに、その両面印刷時にこの何れの側に所定の合成印刷データを合成印刷するかの合成選択を受付ける給紙段選択部と、その印刷媒体に対してそれら両面印刷および合成印刷する印刷部と、その給紙段選択部で選択された特定給紙段からの印刷媒体の給紙制御と、その合成選択に基づきその印刷部によるそれら両面印刷および合成印刷の制御をする印刷制御部とを具備している。
【００１２】
本発明の画像形成装置では、上記給紙段選択部が、両面への合成印刷選択を受付け、上記印刷制御部が、当該合成印刷選択に基づきそれら両面印刷および両面合成印刷を制御する構成も可能である。
【００１３】
本発明の画像形成装置では、上記給紙段選択部が、片面への合成印刷選択を受付け、上記印刷制御部が、当該合成印刷選択に基づきそれら両面印刷および先頁側の片面合成印刷を制御する構成も可能である。
【００１４】
本発明の画像形成装置では、上記給紙段選択部が、その特定給紙段としてその印刷媒体の種類の選択を受付ける構成も可能である。
【００１５】
本発明の画像形成装置では、上記給紙段選択部が、その給紙段に対してそれら両面印刷および合成印刷を含む印刷形態との対応関係が予め設定された管理テーブルを参照し、上記特定給紙段にその印刷形態が設定されているとき、その特定給紙段の選択を受付ける構成も可能である。
【００１６】
そして、本発明に係る画像形成プログラムでは、印刷媒体がセットされる複数の給紙段からその印刷媒体を給紙して両面印刷および合成印刷を制御する印刷制御用コンピュータに対し、上記給紙段のうち、その印刷媒体に対する両面印刷を指示する両面印刷指示に対応付けられた特定給紙段の選択を受付けるとともに、その両面印刷時にこの何れの側に所定の合成印刷データを合成印刷するかの合成選択を受付ける給紙段選択処理と、その印刷媒体にそれら両面印刷および合成印刷する印刷部に対し、その給紙段選択処理で選択された特定給紙段からのその印刷媒体の給紙制御と、その合成選択に基づきその印刷部に対するそれら両面印刷および合成印刷の制御をする印刷制御処理とを実行させるものである。
【００１７】
本発明の画像形成プログラムでは、上記給紙段選択処理が、両面への合成印刷選択を受付け、上記印刷制御処理が、当該合成印刷選択に基づきそれら両面印刷および両面合成印刷を制御する構成も可能である。
【００１８】
本発明の画像形成プログラムでは、上記給紙段選択処理が、片面への合成印刷選択を受付け、上記印刷制御処理が、当該合成印刷選択に基づきそれら両面印刷および先頁側の片面合成印刷を制御する構成も可能である。
【００１９】
本発明の画像形成プログラムでは、上記給紙段選択処理が、その特定給紙段として印刷媒体の種類の選択を受付ける構成も可能である。
【００２０】
本発明の画像形成プログラムでは、上記給紙段選択処理が、その給紙段に対してそれら両面印刷および合成印刷を含む印刷形態との対応関係が予め設定された管理テーブルを参照し、上記特定給紙段にその印刷形態が設定されているとき、上記特定給紙段の選択を受付ける構成も可能である。
【発明の効果】
【００２１】
このような本発明に係る画像形成装置および画像形成プログラムでは、給紙段選択部にて、印刷媒体に対する両面印刷を指示する両面印刷指示に対応付けられた特定給紙段の選択と、その両面印刷時にこの何れの側に合成印刷するかの合成選択を受付け、印刷制御処理部が、その印刷媒体にそれら両面印刷および合成印刷する印刷部に対し、その給紙段選択された特定給紙段からのその印刷媒体の給紙制御と、その合成選択に基づきその印刷部に対するそれら両面印刷および合成印刷の制御をするから、給紙段を指定するのみで、両面印刷時において片面又は両面のみの合成印刷を切換え可能になる。
【００２２】
本発明において、両面への合成印刷選択を受付け、当該合成印刷選択に基づきそれら両面印刷および両面合成印刷を制御する構成では、給紙段を指定するのみで、両面印刷時に両面への合成印刷が可能である。
【００２３】
本発明において、片面への合成印刷選択を受付け、当該合成印刷選択に基づきそれら両面印刷および先頁側の片面合成印刷を制御する構成では、給紙段を指定するのみで、両面印刷時に片面合成印刷が可能である。
【００２４】
本発明において、その特定給紙段として印刷媒体の種類の選択を受付ける構成では、印刷媒体の例えば規格寸法を選択すれば、両面印刷その他の拡張印刷が可能となる。
【００２５】
本発明において、その給紙段に対してそれら両面印刷および合成印刷を含む印刷形態との対応関係が予め設定された管理テーブルを参照し、上記特定給紙段にその印刷形態が設定されているとき、上記特定給紙段の選択を受付ける構成では、現実に特定給紙段に両面印刷その他の拡張印刷の設定がなされていないときには、拡張印刷指示が出されずに誤動作を防止可能となる。
【発明を実施するための最良の形態】
【００２６】
以下、本発明の実施の形態を図面を参照して説明する。
【００２７】
図１は本発明に係る画像形成装置の実施の一形態を示す概略ブロック図である。なお、本発明に係る画像形成プログラムはその画像形成装置を説明する過程で説明する。
【００２８】
図１において、本発明に係る画像形成装置Ａは、印刷制御部１を中心にして画像読取部３、通信部５、記憶部７、操作パネル部９、印刷部１１および給紙段１３を有して構成されている。なお、画像形成装置Ａとしてはこれ以外にも種々の構成を有するが、本発明の要部ではないので説明および図示を省略する。
【００２９】
印刷制御部１は、画像読取部３、通信部５、記憶部７、操作パネル部９、印刷部１１および給紙段１３を制御するものであるが、詳細は後述する。
【００３０】
画像読取部３は、例えば図２の画像形成装置Ａにおいて、本体ケース１５の上部に配置され、印刷制御部１の制御の下、例えば印刷された複数頁の原稿から画像を光学的に読み込み、フィルタ処理、変倍処理および階調処理等をして電子的印刷データを印刷ジョブとして生成する公知のスキャナー等であり、生成した印刷データが原稿の頁毎に記憶部７に順次記憶されるようになっている。画像形成装置Ａの内部構成については後述する。
【００３１】
画像読取部３は、社名や自社のロゴマークといった後述する合成印刷データを光学的に読み込み、同様に、記憶部７に１個以上記憶可能になっている。
【００３２】
図１に戻って、通信部５は、印刷制御部１の制御の下、図示しないネットワークを介して例えば他の複合機との間で、画像や文書を含む印刷データを所定のプロトコルで受信し、受信した印刷データを頁毎に記憶部７に登録記憶するインターフェース部である。なお、受信した印刷データにはファクシミリ（ＦＡＸ）受信も含まれる。
【００３３】
記憶部７は、画像読取部３や通信部５からの印刷データ、上述した合成印刷データ、後述する管理テーブルを格納する機能を有する他、印刷制御部１の動作プログラムを格納する読み書き可能な例えばハードディスク（ＨＤＤ）である。
【００３４】
操作パネル部９は、例えば図２の画像形成装置Ａの本体ケース１５の上部に配置され、画像形成装置Ａの動作状態を表示する液晶表示部と、タッチスイッチ入力部を兼ねた液晶操作パネル等からなっている。
【００３５】
操作パネル部９は、印刷する印刷媒体である印刷用紙の選択、印刷の実行又は中止、本発明に係る両面印刷および合成印刷の選択指示、すなわち両面印刷用の特定給紙段であって両面印刷に際して合成印刷を併用するか否か、更には、片面合成印刷か両面合成印刷かの選択指定を受け付ける給紙段選択部としての機能を有する他、従来公知の表示入力機能を有し、印刷制御部１によって制御される。
【００３６】
すなわち、操作パネル部９は、図３に示すように、「印刷できます。」といった動作状態表示領域９ａ、印刷する用紙につき「Ａ４」、「Ａ３」、「手差し」、「特定紙１」、「特定紙２」等といった規格寸法用紙の選択表示ボタン９ｂ、「濃度設定」といった濃度設定ボタン９ｃ、「倍率設定」といった倍率設定ボタン９ｄ等の複数種類の画像表示が可能になっている。なお、図３は初期画面（基本）であり、タブのタッチ選択によって「ユーザ機能」画面や「機能リスト」画面が表示される。
【００３７】
操作パネル部９は、図４に示すように、複数の給紙段１〜４と、両面印刷および合成印刷等の印刷形態との対応関係が予め設定された管理テーブルを参照し、その給紙段の選択に応じた印刷形態の選択を受け付ける機能、すなわち、その給紙段１に対して印刷形態（１）として合成印刷が、印刷形態（２）として片面（表面）印刷が設定されているとき、それらを受付ける機能を有している。
【００３８】
管理テーブルは、印刷制御部１の制御の下で作成され、複数の給紙段１〜４に対し、「用紙サイズ」、「用紙タイプ」、「印刷形態（１）」および「印刷形態（２）」が予め設定されており、特に、「印刷形態（１）」には合成印刷する合成印刷データ、例えば社名や自社のロゴマークといったフォーム１や、特殊な表等のフォーム２の有無が設定されており、「印刷形態（２）」としてはそれら合成印刷データを片面（表面）のみに印刷するか、両面（表面／裏面）に印刷するか設定される。
【００３９】
印刷部１１は、図２の画像形成装置Ａの本体ケース１５内に配置され、搬送用紙に印刷データをモノクロ印刷又はカラー印刷して排紙するものであり、両面印刷用に後述する反転搬送部１７を有するとともに、指定された合成印刷データを片面又は両面に合成印刷する機能を有している。
【００４０】
給紙段１３は、印刷媒体例えば紙用紙をセットするカセット等であり、Ａ４やＡ３、手差しといった用紙寸法やセット手法に応じて複数の給紙段から形成されており、両面印刷で片面合成印刷専用の「特定紙１」に対応する図２の特定給紙段１３ａ、通常の片面印刷用の一般給紙段１３ｂ、両面印刷で両面合成印刷専用の「特定紙２」に対応する特定給紙段１３ｃがある。なお、図２では給紙段を３個のみ示す。
【００４１】
印刷制御部１は、ＣＰＵ、このＣＰＵの動作プログラムを格納したメモリ部、入出力インターフェース（いずれも図示せず。）を有し、上述した画像読取部３、通信部５、記憶部７、操作パネル部９、印刷部１１、給紙段１３を制御する機能を有している。
【００４２】
印刷制御部１は、予め、給紙段と両面印刷を含む印刷形態との対応関係を設定する管理テーブル作成機能を有しており、例えば、図３の操作画面において「ユーザ機能」タブを選択して図４の管理テーブルを表示させて設定するとともに、記憶部７に記憶させ、操作パネル部９からの参照制御を担う機能を有している。
【００４３】
印刷制御部１は、操作パネル部９からの「特定紙１、「特定紙２」の選択に基づき、印刷部１１を制御して該当する特定給紙段１３ａ、１３ｃからの給紙制御をするとともに、背景となる主印刷データおよび該当する合成印刷データを記憶部７から読み出して印刷部１１に出力し、印刷データの両面印刷制御に加えて、図５に示すように、合成印刷データについて両面又は片面の合成印刷の実行を制御する機能を有している。
【００４４】
なお、印刷制御部１は、排紙部２１における印刷用紙の状態がフェイスアップ（第１頁側が上側）か否か判別する機能も有している。
【００４５】
図２は、上述した画像形成装置Ａの内部構成を示す概略図である。
【００４６】
図２において、画像形成装置Ａの本体ケース１５の下部には、特定給紙段１３ａ、１３ｃ、一般給紙段１３ｂに加え、これらの給紙段１３ａ、１３ｂ、１３ｃから１次給紙された用紙を２次給紙する搬送部、印刷データを転写定着して画像形成する転写定着部１９からなる上述したモノクロおよびカラーの印刷部１１が配置されている。
【００４７】
印刷部１１において、合成印刷が実施される場合、主印刷データに合成印刷データを重ね合わせるようにしてイメージデータを作成展開し、このイメージデータに基づき、転写定着部１９にて搬送用紙に転写定着して画像形成するのは従来と同様である。
【００４８】
反転搬送部１７は、片面に画像が転写着された印刷用紙を両面印刷用に表裏反転させて転写定着部１９に戻す機能を有し、印刷部１１を形成している。
【００４９】
本体ケース１５の上部には、上述した画像読取部３および操作パネル部９が配置されており、印刷制御部１、通信部５および記憶部７が本体ケース１５内部の適当な位置に電子回路を形成して配置されている。
【００５０】
印刷部１１の下流側には排紙部２１に続いて排紙トレイ２３が配置されている。
【００５１】
次に、本発明に係る画像形成装置の動作を図６のフローチャートを参照して簡単に説明する。なお、予め図４に示すような管理テーブルが設定されているとして説明する。
【００５２】
図３の操作パネル画面において、「特定紙１」又は「特定紙２」９ｂがタッチ選択されて印刷が開始されると、ステップＳ１にて印刷制御部１が両面印刷か否か判別し、両面印刷が選択されていない場合にはステップＳ１がＮＯとなり、ステップＳ２にて印刷制御部１が印刷部１１を制御して通常の片面印刷を実行させて終了する。
【００５３】
他方、両面印刷が選択されていてステップＳ１がＹＥＳであれば、ステップＳ３にて合成印刷指示が表面のみの設定か否か印刷制御部１が判別し、両面合成印刷が選択されていてステップＳ３がＮＯであれば、ステップＳ４にて印刷制御部１が印刷部１１を制御して両面印刷において両面合成印刷を実行させて終了する。
【００５４】
片面のみが設定されていてステップＳ３がＹＥＳであれば、ステップＳ５にて排紙部２１における印刷用紙の状態がフェイスアップか否か印刷制御部１が判別する。
【００５５】
用紙の排紙状態がフェイスアップに設定されていなくてステップＳ５がＮＯであれば、ステップＳ６にて印刷制御部１が印刷部１１に対し、後述するパターン１の印刷形態で両面印刷における片面合成印刷を実行させて終了し、フェイスアップに設定されていてステップＳ５がＹＥＳであれば、ステップＳ７にて印刷制御部１が印刷部１１に対し、後述するパターン２の印刷形態で両面印刷における片面合成印刷を実行させて終了する。
【００５６】
ここで、パターン１の印刷形態は、１頁目（合成）→  ２頁目（未合成）→  ３頁目（合成）→  ４頁目（未合成）の順となり、パターン２の印刷形態は、２頁目（未合成）→  １頁目（合成）→  ４頁目（未合成）→  ３頁目（合成）の順となる。
【００５７】
そのため、印刷用紙の排紙状態がフェイスアップに設定されている状態で、図３の操作パネル画面において「特定紙１」９ｂがタッチ選択されて印刷が開始されると、ステップＳ１、ステップＳ３、ステップＳ５、ステップＳ６を介して印刷データと合成印刷データが１頁目（合成）→  ２頁目（未合成）→  ３頁目（合成）→  ４頁目（未合成）の順で印刷される。
【００５８】
これらの処理手順が本発明の画像形成プログラムで実行される。
【００５９】
なお、操作パネル部９で「特定紙１」又は「特定紙２」９ｂが選択されたとき、管理データにおいて特定給紙段１３ａが両面印刷が設定されていないときには、両面印刷指示を受付けずに、所定のエラーを表示させると良い。
【００６０】
このように本発明に係る画像形成装置Ａでは、画像形成される印刷用紙がセットされる複数の給紙段１３ａ、１３ｃと、これら給紙段１３ａ、１３ｃのうち、その印刷用紙に対する両面印刷を指示する両面印刷指示に対応付けられた特定給紙段１３ａ、１３ｃの選択を受付けるとともに、その両面印刷時にこの何れの側に所定の合成印刷データを合成印刷するかの合成選択を受付ける操作パネル部（給紙段選択部）９と、その印刷用紙に対してそれら両面印刷および合成印刷データを合成印刷処理する印刷部１１と、その操作パネル部（給紙段選択部）９で選択された特定給紙段１３ａ、１３ｃからの印刷用紙の給紙制御と、その合成選択に基づきその印刷部によるそれら両面印刷および合成印刷の制御をする印刷制御部１とを具備している。
【００６１】
そのため、給紙段１３ａ、１３ｃと両面印刷機能および合成印刷とが連動し、用紙の名称や寸法例えば「特定紙」とか「Ａ４」といった用紙を指定するのみで、簡単に両面印刷および合成印刷が可能となるし、印刷操作が簡単になって操作性が向上するうえ、用紙の削減や節約が可能となって省資源化に寄与する。
【００６２】
しかも、特定給紙段に対して片面の合成印刷か両面合成印刷かを予め設定登録しておけば、特定給紙段１３ａ、１３ｃの切り換え指定によって片面又は両面の合成印刷の実行切換えが可能となり、種々の合成印刷形態に対応可能となり、両面、片面を意識することなく、給紙段（特定紙１や特定紙２）を選択するだけで切り換え実行可能である。
【００６３】
さらに、給紙段選択部９が、その給紙段１３ａ〜１３ｃと両面印刷を含む印刷形態との対応関係を予め設定した管理テーブルを参照し、その特定給紙段１３ａに両面印刷が設定されているとき選択を受付けるから、現実に特定給紙段１３ａ、１３ｃに両面印刷の設定がなされていないときには、特定給紙段１３ａ、１３ｃの選択受付がなされず、誤動作を防止可能となる。
【００６４】
そして、本発明では、これら給紙段１３のうち印刷用紙に対する両面印刷指示を対応付ける特定給紙段１３ａ、１３ｃとしては、「特定紙１」、「特定紙２」、「Ａ４」といった用紙の寸法や名称の他、給紙段の番号等、種々の表示形態が可能である。要は、特定の給紙段を示す表示で実施すれば本発明の目的達成が可能である。
【００６５】
なお、上述した画像形成装置Ａにおいて、操作パネル部９で「特定紙１」、「特定紙２」が選択されても、管理テーブルにおいて特定給紙段１３ａ、１３ｃが両面印刷が設定されていないときには、「エラー」表示をさせずに、通常の片面印刷指示と解釈して片面印刷を実行するよう構成することも可能であり、これに合わせて印刷制御部１、操作パネル部９および印刷部１１を形成すれば良い。
【００６６】
そして、上述した実施の形態において、拡張印刷指示に対応付けられた特定給紙段１３ａ、１３ｃの選択を受付ける給紙段選択部は、操作パネル部９に限定されず、外部からのネットワークを介した選択、更に、ファクシミリ受信を介した選択も可能であり、ファクシミリ受信用給紙段を特定給紙段に対応付けることも可能である。
【００６７】
また、本発明の画像形成装置Ａにおいて、印刷媒体としては紙用紙に限らず、合成樹脂シート等種々のシート媒体で実施可能である。
【００６８】
さらに、本発明の画像形成装置Ａは、複写機、ファクシミリ機、複合機等の画像形成装置において実施可能である。
【００６９】
ところで、本発明に係る画像形成プログラムでは、印刷媒体がセットされる複数の給紙段からその印刷媒体を給紙して両面印刷および合成印刷を制御する印刷制御用コンピュータに対し、上記給紙段のうち、その印刷媒体に対する両面印刷を指示する両面印刷指示に対応付けられた特定給紙段の選択を受付けるとともに、その両面印刷時にこの何れの側に所定の合成印刷データを合成印刷するかの合成選択を受付ける給紙段選択処理と、その印刷媒体にそれら両面印刷および合成印刷する印刷部に対し、その給紙段選択処理で選択された特定給紙段からのその印刷媒体の給紙制御と、その合成選択に基づきその印刷部に対するそれら両面印刷および合成印刷の制御をする印刷制御処理とを実行させる構成を有するから、上述した本発明の画像形成装置と同様の効果が得られる。
【００７０】
しかも、本発明の画像形成プログラムにおいて、上記給紙段選択処理が両面又は片面合成印刷選択を受付け、上記印刷制御処理が当該合成印刷選択に基づきそれら両面印刷、並びに両面又は片面合成印刷を制御する構成、上記給紙段選択処理がその特定給紙段として印刷媒体の種類の選択を受付ける構成、更に、上記給紙段選択処理がその給紙段に対してそれら両面印刷および合成印刷を含む印刷形態との対応関係が予め設定された管理テーブルを参照し、上記特定給紙段にその印刷形態が設定されているとき、上記特定給紙段の選択を受付ける構成も可能であり、同様に、上述した本発明の画像形成装置と同様の効果が得られる。
【図面の簡単な説明】
【００７１】
【図１】本発明に係る画像形成装置の実施の一形態を示す概略ブロック図である。
【図２】図１の画像形成装置を示す概略構成図である。
【図３】本発明における表示画面を示す図である。
【図４】本発明に係る画像形成装置における管理データを説明する図である。
【図５】本発明に係る画像形成装置による印刷結果例を示す図である。
【図６】本発明に係る画像形成装置の動作を説明するフローチャートである。
【符号の説明】
【００７２】
１  印刷制御部
３  画像読取部
５  通信部
７  記憶部
９  操作パネル部（給紙段選択部）
１１  印刷部
１３  給紙段
１３ａ、１３ｃ  特定給紙段（給紙段）
１３ｂ  一般給紙段（給紙段）
１５  本体ケース
１７  反転搬送部
１９  転写定着部
２１  排紙部
２３  排紙トレイ
Ａ  画像形成装置
【図１】
2009028985.tif 000003
【図２】
2009028985.tif 000004
【図３】
2009028985.tif 000005
【図４】
2009028985.tif 000006
【図５】
2009028985.tif 000007
【図６】
2009028985.tif 000008